(57)【要約】【課題】低コストを実現することができる熱交換器の提供。【解決手段】第２熱交換部６０は、複数の第２フィン６１と、複数の伝熱管７０と、Ｕベンド管７１，７２とを備えている。伝熱管７０は、第２フィン６１を貫通して空気流と交差する方向に延びている。Ｕベンド管７１，７２は、隣接して配置される２つの伝熱管７０の端部同士を連結するための部材である。また、第２フィン６１は、伝熱管７０の貫通方向視において、湾曲した湾曲部６１ａを有している。さらに、Ｕベンド管７１，７２によって連結される伝熱管７０同士は、湾曲部６１ａにおいて、第１所定距離Ａまたは第２所定距離Ｂのいずれか一方の距離だけ離れるように配置されている。【選択図】図６
2010266099.tif 000002
【特許請求の範囲】
【請求項１】
複数のフィン（６１，１６１，４６１）と、
前記フィンを貫通して空気流（Ｆ）と交差する方向に延びる複数の主伝熱部（７０，１７０，２７０ａ，４７０）と、を備え、
前記フィンは、前記主伝熱部の貫通方向視において、湾曲した湾曲部（６１ａ，１６１ａ，４６１ａ）を有し、
隣接して配置されている２つの前記主伝熱部は、前記主伝熱部の端部同士を連結するための端部連結管（７１，７２，１７１，１７２，４７１）によって接続されており、あるいは、前記主伝熱部から連続して形成されるヘアピン部（２７０ｂ）によって接続されており、
前記端部連結管あるいは前記ヘアピン部によって接続される前記主伝熱部同士は、前記湾曲部において、第１所定距離（Ａ）または前記第１所定距離とは異なる第２所定距離（Ｂ）のいずれか一方の距離だけ離れるように配置されている、
熱交換器（６０，１６０，４６０）。
【請求項２】
前記主伝熱部は、複数の上流側主伝熱部（７０ａ，７０ｂ，７０ｃ，１７０ａ，１７０ｂ，１７０ｃ）と、前記上流側主伝熱部よりも前記空気流下流側に配置される複数の下流側主伝熱部（７０ｄ，７０ｅ，７０ｆ，１７０ｄ，１７０ｅ，１７０ｆ）とを有し、
前記上流側主伝熱部と前記下流側主伝熱部とは、千鳥状に配置されている、
請求項１に記載の熱交換器。
【請求項３】
前記上流側主伝熱部は、前記湾曲部において、第１上流側主伝熱部（７０ａ，１７０ａ）と、前記第１上流側主伝熱部に隣接する第２上流側主伝熱部（７０ｂ，１７０ｂ）とを含み、
前記下流側主伝熱部は、前記湾曲部において、前記第１上流側主伝熱部および前記第２上流側主伝熱部に隣接する第１下流側主伝熱部（７０ｄ，１７０ｄ）を含み、
前記第１下流側主伝熱部と前記第１上流側主伝熱部とが前記第１所定距離だけ離れるように配置されている場合には、前記第１下流側主伝熱部と前記第２上流側主伝熱部とは前記第２所定距離だけ離れて配置されている、
請求項２に記載の熱交換器。
【請求項４】
前記上流側主伝熱部は、前記湾曲部において、前記第１上流側主伝熱部および前記第２上流側主伝熱部とは別に、第３上流側主伝熱部（７０ｃ，１７０ｃ）を更に含み、
前記下流側主伝熱部は、前記湾曲部において、前記第１下流側主伝熱部とは別に、第２下流側主伝熱部（７０ｅ，１７０ｅ）と第３下流側主伝熱部（７０ｆ，１７０ｆ）とを更に含み、
前記上流側主伝熱部は、前記フィンの一端（６１ｃ，１６１ｃ）側から他端（６１ｄ，１６１ｄ）側に向かう方向である第１方向（Ｙ）に沿って、前記第１上流側主伝熱部、前記第２上流側主伝熱部、前記第３上流側主伝熱部の順に配置されており、
前記第下流側主伝熱部は、前記第１方向に沿って、前記第１下流側主伝熱部、前記第２下流側主伝熱部、前記第３下流側主伝熱部の順に配置されており、
前記上流側主伝熱部と前記下流側主伝熱部とは、
前記第１上流側主伝熱部と前記第１下流側主伝熱部とが前記第１所定距離だけ離れるように配置されている場合には、前記第１下流側主伝熱部と前記第２上流側主伝熱部とが前記第２所定距離だけ離れるように配置され、前記第２上流側主伝熱部と前記第２下流側主伝熱部とが前記第１所定距離だけ離れるように配置され、前記第２下流側主伝熱部と前記第３上流側主伝熱部とが前記第２所定距離だけ離れるように配置され、前記第３上流側主伝熱部と前記第３下流側主伝熱部とが前記第１所定距離だけ離れるように配置されている、
請求項３に記載の熱交換器。
【請求項５】
前記第１所定距離は、前記第２所定距離よりも大きく、
前記上流側主伝熱部において、
前記第１上流側主伝熱部と前記第２上流側主伝熱部とは、前記第１所定距離だけ離れて配置されており、
前記第２上流側主伝熱部と前記第３上流側主伝熱部とは、前記第１所定距離だけ離れて配置されており、
前記下流側主伝熱部において、
前記第１下流側主伝熱部と前記第２下流側主伝熱部とは、前記第２所定距離だけ離れて配置されており、
前記第２下流側主伝熱部と前記第３下流側主伝熱部とは、前記第２所定距離だけ離れて配置されている、
請求項４に記載の熱交換器。
【請求項６】
前記第１所定距離は、前記第２所定距離よりも大きく、
前記上流側主伝熱部において、
前記第１上流側主伝熱部と前記第２上流側主伝熱部とは、前記第１所定距離だけ離れて配置されており、
前記第２上流側主伝熱部と前記第３上流側主伝熱部とは、前記第１所定距離だけ離れて配置されており、
前記下流側主伝熱部において、
前記第１下流側主伝熱部と前記第２下流側主伝熱部とが前記第１所定距離だけ離れて配置されている場合には、前記第２下流側主伝熱部と前記第３下流側主伝熱部とは前記第２所定距離だけ離れて配置されている、
請求項４に記載の熱交換器。
【請求項７】
複数のフィン（６１，１６１，４６１）と、
前記フィンを貫通して空気流（Ｆ）と交差する方向に延びる複数の主伝熱部（７０，１７０，２７０ａ，４７０）と、を備え、
前記フィンは、前記主伝熱部の貫通方向視において、湾曲した湾曲部（６１ａ，１６１ａ，４６１ａ）を有し、
前記主伝熱部同士は、前記湾曲部において、第１所定距離（Ａ）または前記第１所定距離とは異なる第２所定距離（Ｂ）のいずれか一方の距離だけ離れるように配置されている、
熱交換器（６０，１６０，４６０）。
【発明の詳細な説明】
【技術分野】
【０００１】
本発明は、熱交換器に関する。
【背景技術】
【０００２】
従来より、空気調和機において、空気流を生成するファンと、ファンの周面を取り囲むように湾曲して形成された熱交換器とを備えるものがある。また、このような熱交換器には、複数のフィンと、フィンを貫通して配置される複数の伝熱管とを有しているものがある。
【０００３】
例えば、特許文献１（特開平９−４２６９９号公報）に開示されている空気調和機は、気流を生成する横流ファン（ファンに相当）と、横流ファンよりも気流方向上流側に配置されており湾曲した形状を呈する前側熱交換器（熱交換器に相当）４Ａとを備えている。また、前側熱交換器４Ａは、互いに所定の間隔をあけて配置される複数の放熱フィン（フィンに相当）８と、複数の放熱フィン８を貫通する熱交換パイプ（伝熱管に相当）９とから構成されている。
【０００４】
さらに、熱交換パイプ９は、気流方向上流側に位置する風上側列と、風上側列よりも気流方向下流側に位置する風下側列とを構成するように配置されている。具体的には、熱交換パイプ９同士は、風上側列において、図１６に示すように、同一の間隔Ａで配置されている。また、風下側列において、下端部の熱交換パイプ９同士は風上側列における熱交換パイプ９同士の間隔と同様の間隔Ａで配置されており、下端部以外の熱交換パイプ９同士は風上側列における熱交換パイプ９同士の間隔Ａよりも狭い間隔Ｂで配置されている。さらに、各列の熱交換パイプ９同士は、互いに千鳥状になるように、上記の間隔（間隔Ａおよび間隔Ｂ）と異なる間隔Ｃで配置されている。
【発明の概要】
【発明が解決しようとする課題】
【０００５】
ところで、熱交換器において冷媒の流路を形成するために、隣接する伝熱管の端部の開口同士がＵベンド等の配管部品によって接続されることがある。また、伝熱管の端部の開口同士を接続するための配管部品は、伝熱管同士の距離が異なることで、前記距離に応じた種類が必要となることがある。
【０００６】
例えば、特許文献１の前面側熱交換器４Ａでは、熱交換パイプ９同士の距離が３種類（間隔Ａ、間隔Ｂおよび間隔Ｃ）存在する。このため、隣接する熱交換パイプ９の開口同士を接続するためには、３種類の配管部品が必要となる。このように、伝熱管同士の距離が多種類存在することで、これに応じた種類の配管部品を用いる必要があり、コストが増加するおそれがある。
【０００７】
そこで、本発明の課題は、低コストを実現することができる熱交換器を提供することにある。
【課題を解決するための手段】
【０００８】
第１発明に係る熱交換器は、複数のフィンと、複数の主伝熱部とを備えている。主伝熱部は、フィンを貫通して空気流と交差する方向に延びている。また、フィンは、主伝熱部の貫通方向視において、湾曲した湾曲部を有している。隣接して配置される２つの主伝熱部は、端部連結管、あるいは、ヘアピン部によって接続されている。端部連結管は、隣接して配置される２つの主伝熱部の端部同士を連結するための部材である。また、ヘアピン部は、主伝熱部から連続して形成されている。さらに、端部連結管あるいはヘアピン部によって接続される主伝熱部同士は、湾曲部において、第１所定距離または第２所定距離のいずれか一方の距離だけ離れるように配置されている。
【０００９】
第１発明に係る熱交換器では、湾曲部において、端部連結管あるいはヘアピン部によって接続される主伝熱部同士が、第１所定距離または第２所定距離のいずれか一方の距離だけ離れるように配置されている。このため、例えば、端部連結管によって接続される主伝熱部同士の距離が３種類存在する場合と比較して、端部連結管の種類を減らすことができる。また、ヘアピン部とヘアピン部によって接続されている２つの主伝熱部とを１つのヘアピン形状の伝熱管とした場合、例えば、ヘアピン部によって接続される主伝熱部の端部同士の距離が３種類存在する場合と比較して、ヘアピン形状の伝熱管の種類を減らすことができる。
【００１０】
これによって、低コストを実現することができる。
【００１１】
第２発明に係る熱交換器は、第１発明の熱交換器であって、主伝熱部は、複数の上流側主伝熱部と、複数の下流側主伝熱部とを有する。下流側主伝熱部は、上流側主伝熱部よりも空気流下流側に配置されている。また、上流側主伝熱部と下流側主伝熱部とは、千鳥状に配置されている。このため、この熱交換器では、熱交換を行う空気を、上流側主伝熱部および下流側主伝熱部に効率よく接触させることができる。
【００１２】
第３発明に係る熱交換器は、第２発明の熱交換器であって、上流側主伝熱部は、湾曲部において、第１上流側主伝熱部と、第１上流側主伝熱部に隣接する第２上流側主伝熱部とを含む。下流側主伝熱部は、湾曲部において、第１上流側主伝熱部および第２上流側主伝熱部に隣接する第１下流側主伝熱部を含む。また、第１下流側主伝熱部と第１上流側主伝熱部とが第１所定距離だけ離れるように配置されている場合には、第１下流側主伝熱部と第２上流側主伝熱部とは第２所定距離だけ離れて配置されている。このため、この熱交換器では、湾曲部において、上流側主伝熱部と下流側主伝熱部との距離を第１所定距離または第２所定距離だけ離れて配置することができる。
【００１３】
なお、第１下流側主伝熱部と第１上流側主伝熱部とが第２所定距離だけ離れるように配置されている場合には、第１下流側主伝熱部と第２上流側主伝熱部とは第１所定距離だけ離れて配置されていてもよい。また、上流側主熱交換部および下流側主熱交換部において、上流側主熱交換部と下流側主熱交換部とが上述のような配置となる部分が、フィンの有する湾曲部の全体であっても、その一部であってもよい。
【００１４】
第４発明に係る熱交換器は、第３発明の熱交換器であって、上流側主伝熱部は、湾曲部において、第１上流側主伝熱部および第２上流側主伝熱部とは別に、第３上流側主伝熱部を更に含む。下流側主伝熱部は、湾曲部において、第１下流側主伝熱部とは別に、第２下流側主伝熱部と第３下流側主伝熱部とを更に含む。また、上流側主伝熱部は、第１方向に沿って、第１上流側主伝熱部、第２上流側主伝熱部、第３上流側主伝熱部の順に配置されている。第１方向とは、フィンの一端側から他端側に向かう方向である。下流側主伝熱部は、第１方向に沿って、第１下流側主伝熱部、第２下流側主伝熱部、第３下流側主伝熱部の順に配置されている。さらに、上流側主伝熱部と下流側主伝熱部とは、第１上流側主伝熱部と第１下流側主伝熱部とが第１所定距離だけ離れるように配置されている場合には、第１下流側主伝熱部と第２上流側主伝熱部とが第２所定距離だけ離れるように配置され、第２上流側主伝熱部と第２下流側主伝熱部とが第１所定距離だけ離れるように配置され、第２下流側主伝熱部と第３上流側主伝熱部とが第２所定距離だけ離れるように配置され、第３上流側主伝熱部と第３下流側主伝熱部とが第１所定距離だけ離れるように配置される。このため、この熱交換器では、湾曲部において、上流側主伝熱部と下流側主伝熱部との距離を第１所定距離または第２所定距離だけ離れて配置することができる。
【００１５】
なお、上流側主伝熱部と下流側主伝熱部とは、第１上流側主伝熱部と第１下流側主伝熱部とが第２所定距離だけ離れるように配置されている場合には、第１下流側主伝熱部と第２上流側主伝熱部とが第１所定距離だけ離れるように配置され、第２上流側主伝熱部と第２下流側主伝熱部とが第２所定距離だけ離れるように配置され、第２下流側主伝熱部と第３上流側主伝熱部とが第１所定距離だけ離れるように配置され、第３上流側主伝熱部と第３下流側主伝熱部とが第２所定距離だけ離れるように配置されていてもよい。
【００１６】
第５発明に係る熱交換器は、第４発明の熱交換器であって、第１所定距離は、第２所定距離よりも大きい。また、上流側主伝熱部において、第１上流側主伝熱部と第２上流側主伝熱部とは、第１所定距離だけ離れて配置されている。上流側主伝熱部において、第２上流側主伝熱部と第３上流側主伝熱部とは、第１所定距離だけ離れて配置されている。さらに、下流側主伝熱部において、第１下流側主伝熱部と第２下流側主伝熱部とは、第２所定距離だけ離れて配置されている。下流側主伝熱部において、第２下流側主伝熱部と第３下流側主伝熱部とは、第２所定距離だけ離れて配置されている。このため、この熱交換器では、上流側主伝熱部と下流側主伝熱部とを第１方向に沿った配置にすることができる。
【００１７】
第６発明に係る熱交換器は、第４発明の熱交換器であって、第１所定距離は、第２所定距離よりも大きい。さらに、上流側主伝熱部において、第１上流側主伝熱部と第２上流側主伝熱部とは、第１所定距離だけ離れて配置されている。また、上流側主伝熱部において、第２上流側主伝熱部と第３上流側主伝熱部とは、第１所定距離だけ離れて配置されている。さらに、下流側主伝熱部において、第１下流側主伝熱部と第２下流側主伝熱部とが第１所定距離だけ離れて配置されている場合には、第２下流側主伝熱部と第３下流側主伝熱部とが第２所定距離だけ離れて配置されている。このため、この熱交換器では、上流側主伝熱部と下流側主伝熱部とを第１方向に沿った配置にすることができる。
【００１８】
なお、下流側主伝熱部において、第１下流側主伝熱部と第２下流側主伝熱部とが第２所定距離だけ離れて配置されている場合には、第２下流側主伝熱部と第３下流側主伝熱部とが第１所定距離だけ離れて配置されていてもよい。
【００１９】
第７発明に係る熱交換器は、複数のフィンと、複数の主伝熱部とを備えている。主伝熱部は、フィンを貫通して空気流と交差する方向に延びている。フィンは、主伝熱部の貫通方向視において、湾曲した湾曲部を有する。また、主伝熱部同士は、湾曲部において、第１所定距離または第２所定距離のいずれか一方の距離だけ離れるように配置されている。第２所定距離とは、第１所定距離とは異なる距離である。
【００２０】
第７発明に係る熱交換器では、湾曲部において、主伝熱部同士が、第１所定距離または第２所定距離のいずれか一方の距離だけ離れるように配置されている。このため、例えば、隣接する主伝熱部の端部同士が配管部品によって接続される場合には、配管部品によって接続される主伝熱部同士の距離が３種類存在する熱交換器と比較して、配管部品の種類を減らすことができる。
【００２１】
これによって、低コストを実現することができる。
【発明の効果】
【００２２】
第１発明に係る熱交換器では、低コストを実現することができる。
【００２３】
第２発明に係る熱交換器では、熱交換を行う空気を、上流側伝熱管および下流側伝熱管に効率よく接触させることができる。
【００２４】
第３発明に係る熱交換器では、湾曲部において、上流側伝熱管と下流側伝熱管との距離を第１所定距離または第２所定距離だけ離れて配置することができる。
【００２５】
第４発明に係る熱交換器では、湾曲部において、上流側伝熱管と下流側伝熱管との距離を第１所定距離または第２所定距離だけ離れて配置することができる。
【００２６】
第５発明に係る熱交換器では、上流側伝熱管と下流側伝熱管とを第１方向に沿った配置にすることができる。
【００２７】
第６発明に係る熱交換器では、上流側伝熱管と下流側伝熱管とを第１方向に沿った配置にすることができる。
【００２８】
第７発明に係る熱交換器では、低コストを実現することができる。
【図面の簡単な説明】
【００２９】
【図１】本発明の第１実施形態に係る室内熱交換器を備える空気調和機の外観斜視図。
【図２】室内機の概略縦断面図。
【図３】室内熱交換器の縦断面図（伝熱管は省略）。
【図４】第１熱交換部の外観斜視図。
【図５】第１熱交換部の概略正面図。
【図６】第２熱交換部の縦断面図であって、第２フィンの湾曲部における部分拡大図。
【図７】第２熱交換部の側面図。
【図８】第２熱交換部の側面図。
【図９】変形例（Ａ）に係る室内熱交換器の有するヘアピン形状の伝熱管の概略図。
【図１０Ａ】変形例（Ａ）に係る室内熱交換器の備える第２熱交換部の側面図。
【図１０Ｂ】変形例（Ａ）に係る室内熱交換器の備える第２熱交換部の側面図。
【図１１】変形例（Ｃ）に係る室内熱交換器の備える第２熱交換部の側面図。
【図１２】本発明の第２実施形態に係る室内熱交換器の備える第２熱交換部の縦断面図。
【図１３】第２熱交換部の縦断面図であって、第２フィンの湾曲部における部分拡大図。
【図１４】第２熱交換部の側面図。
【図１５】第２熱交換部の側面図。
【図１６】従来の室内熱交換器の縦断面図。
【発明を実施するための形態】
【００３０】
−第１実施形態−
＜空気調和機の構成＞
図１は、空気調和機の外観斜視図である。
【００３１】
空気調和機１は、図１に示すように、室内機１０と室外機２０とから構成されており、冷房運転および暖房運転等の通常運転を行うことができる。空気調和機１は、室内の空気を空気取込口６から室内機１０内部に取り込み、取り込んだ空気に対して空気調和を行い、空気調和された空気を空気吹出口４から室内に吹き出す。
【００３２】
室内機１０内には、後述する室内熱交換器１２等が収納されており、室外機２０内には、後述する室外熱交換器が収納されている。そして、室内機１０内の室内熱交換器１２と、室外機２０内の室外熱交換器とが冷媒配管によって接続されることにより、冷媒回路が構成されている。また、冷媒回路は、室外機２０内に収納される圧縮機と、四路切換弁と、電動膨張弁と、アキュムレータとを含んでいる。
【００３３】
圧縮機は、冷媒回路内に流れる冷媒の圧力を上昇させて冷媒を送り出す。四路切換弁は、圧縮機の吐出側に接続されており、冷房運転時と暖房運転時とで冷媒の流路を変更する。室外熱交換器は、四路切換弁と接続されており、暖房運転時には蒸発器として機能し、冷房運転時には凝縮器として機能する。また、室外熱交換器は、隣接配置される室外ファンによって室外機２０内に吸い込まれた空気との間で熱交換を行う。電動膨張弁は、室外熱交換器と接続されており、冷媒の圧力を変化させる膨張機構として機能する。例えば、冷房運転時には、室内熱交換器１２を蒸発器として機能させるために、絞り状態となって冷媒を膨張させる。アキュムレータは、圧縮機の吸入側に接続されており、圧縮機に液状の冷媒が混入することを防止する。
【００３４】
次に、室内機１０の構成について説明する。
【００３５】
＜室内機の構成＞
図２は、空気調和機１が運転状態である場合の室内機１０の概略縦断面図である。
【００３６】
室内機１０は、室内の壁面に取り付けられる壁掛け型の室内機であって、室内機ケーシング５、室内ファン１１および室内熱交換器１２を備えている。
【００３７】
室内機ケーシング５には、室内熱交換器１２や室内ファン１１等が収容されている。また、室内機ケーシング５には、図１および図２に示すように、空調のための空気取込口６と空気吹出口４とが形成されている。
【００３８】
空気取込口６は室内機ケーシング５の上部に設けられており、室内の空気を室内機ケーシング５の内側に取り込むための開口である。室内の空気は、室内ファン１１によって空気取込口６から室内機ケーシング５の内側に取り込まれる。
【００３９】
空気吹出口４は、室内機ケーシング５の前面下部に設けられている。また、空気吹出口４近傍には、空気吹出口４を覆うように水平フラップ７が設けられている。水平フラップ７は、フラップモータ（図示せず）によって回転駆動され、空気の案内方向を変更したり、空気吹出口４を開閉したりする。
【００４０】
室内ファン１１は、円筒形状に構成され、周面には回転軸方向に羽根が設けられているクロスフローファンである。室内ファン１１は、回転駆動することによって、回転軸と交わる方向に空気流Ｆを生成する。また、室内ファン１１は、図２に示すように、室内熱交換器１２の空気流Ｆ下流側に配置されている。このため、室内ファン１１は、室内の空気を室内機１０内に吸い込ませるとともに、室内熱交換器１２との間で熱交換を行った後の空気を室内に吹き出させる。
【００４１】
次に、室内熱交換器１２の構成について説明する。
【００４２】
＜室内熱交換器の構成＞
図３は、室内熱交換器１２の概略縦断面図である。図４は、第１熱交換部５０の外観斜視図である。図５は、第１熱交換部５０の概略正面図である。なお、図４および図５において、符号Ｌ１は、第１フィン５１の板厚方向を示している。
【００４３】
室内熱交換器１２は、図２に示すように、室内ファン１１の前部および後部上方を取り囲むように配置されている。また、室内熱交換器１２は、上述のように、室内ファン１１が駆動されることにより、空気取込口６から取り込まれた空気を室内ファン１１側に通過させ、後述する伝熱管７０内部を通過する冷媒との間で熱交換を行わせる。室内熱交換器１２は、その側面視において、略逆Ｖ字型に屈曲した形状を有している。
【００４４】
室内熱交換器１２は、図２および図３に示すように、第１熱交換部５０および第２熱交換部６０を備えている。また、第１熱交換部５０および第２熱交換部６０は、それぞれ水平方向（板厚方向Ｌ１）に長い形状を有している（図４および図５参照）。
【００４５】
第１熱交換部５０は、図４に示すように、板厚方向Ｌ１に長い直状を呈している。また、第１熱交換部５０は、図２に示すように、その上端が室内機１０の前方へ向けて傾斜して配置されており、室内ファン１１の上方から後部上方を覆うように配置されている。
【００４６】
第２熱交換部６０は、板厚方向Ｌ１に長い形状を呈しており、図２に示すように、室内熱交換器１２の側面視において、上部が湾曲した形状を呈している。また、第２熱交換部６０は、第１熱交換部５０の前方に配置されている。さらに、第２熱交換部６０の上端、すなわち、湾曲している側の端部は、第１熱交換部５０の上端に近接している。さらに、第２熱交換部６０は、室内ファン１１の上方から前部を覆うように配置されている。
【００４７】
また、第１熱交換部５０および第２熱交換部６０は、短冊状の複数のフィン５１，６１と、フィン５１，６１を貫通し直線状に延びる複数の伝熱管７０と、２種類のＵベンド管７１，７２とを有している。
【００４８】
図６は、伝熱管７０の貫通方向から視た第２熱交換部６０の縦断面図であって、第２フィン６１の湾曲部６１ａにおける部分拡大図である。図７は、第２熱交換部６０を一端側から視た側面図である。図８は、第２熱交換部６０を他端側から視た側面図である。
【００４９】
フィン５１，６１は、金属製の板状の部材である。また、フィン５１，６１は、板厚方向Ｌ１に複数枚所定の間隔をあけてそれぞれ配置されている。また、フィン５１，６１には、その板厚方向Ｌ１に貫通する円形状の貫通孔５４，５５，６４，６５が、所定の間隔をあけて形成されている。また、複数の貫通孔５４，５５，６４，６５は、室内ファン１１によって生成される空気流Ｆ上流側に位置する上流側貫通孔５４，６４と、上流側貫通孔５４，６４よりも空気流Ｆ下流側に位置する下流側貫通孔５５，６５とを有する。なお、この貫通孔には、伝熱管７０がフィン５１，６１の板厚方向Ｌ１に嵌挿される。以下、第１熱交換部５０を構成するフィンを第１フィン５１とし、第２熱交換部６０を構成するフィンを第２フィン６１とする。
【００５０】
第１フィン５１は、図４に示すように、第１フィン５１の板厚方向Ｌ１視、すなわち、伝熱管７０の貫通方向視において、略長方形状を呈している。また、第１フィン５１には、板厚方向Ｌ１に貫通する上流側貫通孔５４と下流側貫通孔５５とが千鳥状に形成されている。上流側貫通孔５４は、図３に示すように、下流側貫通孔５５よりも空気流Ｆ上流側に配置されている。
【００５１】
また、第１フィン５１において、上流側貫通孔５４同士は、図３に示すように、第１所定距離Ａだけ離れるように形成されている。さらに、第１フィン５１において、下流側貫通孔５５同士は、第１所定距離Ａだけ離れるように形成されている。また、第１フィン５１において、上流側貫通孔５４と下流側貫通孔５５とは、第２所定距離Ｂだけ離れるように千鳥状に形成されている。
【００５２】
第２フィン６１は、第２フィン６１の板厚方向Ｌ１視、すなわち、伝熱管７０の貫通方向視において、室内ファン１１の周面の一部を取り囲むように湾曲した形状を呈する湾曲部６１ａと、湾曲部６１ａから連続して形成されている直状部６１ｂとを有している。湾曲部６１ａは第２フィン６１の上部を構成しており、直状部６１ｂは第２フィン６１の湾曲部６１ａ以外の部分、すなわち、第２フィン６１の下部を構成している。
【００５３】
また、第２フィン６１には、第１フィン５１と同様に、板厚方向Ｌ１に貫通する上流側貫通孔６４と下流側貫通孔６５とが形成されている。上流側貫通孔６４は、図３に示すように、下流側貫通孔６５よりも空気流Ｆ上流側に配置されている。なお、図６に示すように、説明の便宜上、第２フィン６１の湾曲部６１ａにおいて、上流側貫通孔６４のうち最も第２フィン６１の一方の端部６１ｃ近傍（一端側）に位置する上流側貫通孔を上流側貫通孔６４または第１上流側貫通孔６４ａといい、上流側貫通孔６４のうち第１上流側貫通孔６４ａに隣接して形成されている上流側貫通孔を上流側貫通孔６４または第２上流側貫通孔６４ｂといい、上流側貫通孔６４のうち第２上流側貫通孔６４ｂに隣接して形成されている上流側貫通孔を上流側貫通孔６４または第３上流側貫通孔６４ｃという。また、第２フィン６１の湾曲部６１ａにおいて、下流側貫通孔６５のうち最も第２フィン６１の一方の端部６１ｃ近傍に位置する下流側貫通孔を下流側貫通孔６５または第１下流側貫通孔６５ａといい、下流側貫通孔６５のうち第１下流側貫通孔６５ａに隣接して形成されている下流側貫通孔を下流側貫通孔６５または第２下流側貫通孔６５ｂといい、下流側貫通孔６５のうち第２下流側貫通孔６５ｂに隣接して形成されている下流側貫通孔を下流側貫通孔６５または第３下流側貫通孔６５ｃという。言い換えると、第２フィン６１の一方の端部６１ｃ側から他方の端部６１ｄ（図３参照）側に向かう方向を第１方向Ｙとすると、第１上流側貫通孔６４ａ、第２上流側貫通孔６４ｂおよび第３上流側貫通孔６４ｃは、第１方向Ｙに沿って、第１上流側貫通孔６４ａ、第２上流側貫通孔６４ｂ、第３上流側貫通孔６４ｃの順に配置されている。また、第１下流側貫通孔６５ａ、第２下流側貫通孔６５ｂおよび第３下流側貫通孔６５ｃは、第１方向Ｙに沿って、第１下流側貫通孔６５ａ、第２下流側貫通孔６５ｂ、第３下流側貫通孔６５ｃの順に配置されている。
【００５４】
第１上流側貫通孔６４ａと第２上流側貫通孔６４ｂとは、図６に示すように、第１所定距離Ａだけ離れるように形成されている。また、第２上流側貫通孔６４ｂと第３上流側貫通孔６４ｃとは、第１所定距離Ａだけ離れるように形成されている。このように、第２フィン６１の湾曲部６１ａにおいて、上流側貫通孔６４同士は、図３に示すように、第１所定距離Ａだけ離れるように形成されている。
【００５５】
また、第１下流側貫通孔６５ａと第２下流側貫通孔６５ｂとは、図６に示すように、第２所定距離Ｂだけ離れるように形成されている。なお、第２所定距離Ｂは、第１所定距離Ａよりも小さい。言い換えると、第１所定距離Ａは、第２所定距離Ｂよりも大きい。また、第２下流側貫通孔６５ｂと第３下流側貫通孔６５ｃとは、第２所定距離Ｂだけ離れるように形成されている。このように、第２フィン６１の湾曲部６１ａにおいて、下流側貫通孔６５同士は、図３に示すように、第２所定距離Ｂだけ離れるように形成されている。
【００５６】
さらに、第１上流側貫通孔６４ａと第１下流側貫通孔６５ａとは、図６に示すように、第２所定距離Ｂだけ離れるように形成されている。第１下流側貫通孔６５ａと第２上流側貫通孔６４ｂとは、図６に示すように、第１所定距離Ａだけ離れるように形成されている。第２上流側貫通孔６４ｂと第２下流側貫通孔６５ｂとは、図６に示すように、第２所定距離Ｂだけ離れるように形成されている。第２下流側貫通孔６５ｂと第３上流側貫通孔６４ｃとは、図６に示すように、第１所定距離Ａだけ離れるように形成されている。第３上流側貫通孔６４ｃと第３下流側貫通孔６５ｃとは、図６に示すように、第２所定距離Ｂだけ離れるように形成されている。このように、第２フィン６１の湾曲部６１ａにおいて、上流側貫通孔６４と下流側貫通孔６５とは、図３に示すように、第１所定距離Ａまたは第２所定距離Ｂだけ離れるように千鳥状に形成されている。
【００５７】
なお、本実施形態では、第１上流側貫通孔６４ａと第１下流側貫通孔６５ａとが第２所定距離Ｂだけ離れるように形成されており、第１下流側貫通孔６５ａと第２上流側貫通孔６４ｂとが第１所定距離Ａだけ離れるように形成されており、第２上流側貫通孔６４ｂと第２下流側貫通孔６５ｂとが第２所定距離Ｂだけ離れるように形成されており、第２下流側貫通孔６５ｂと第３上流側貫通孔６４ｃとが第１所定距離Ａだけ離れるように形成されており、第３上流側貫通孔６４ｃと第３下流側貫通孔６５ｃとが第２所定距離Ｂだけ離れるように形成されている。これに代えて、第１上流側貫通孔と第１下流側貫通孔とが第１所定距離Ａだけ離れるように形成されており、第１下流側貫通孔と第２上流側貫通孔とが第２所定距離Ｂだけ離れるように形成されており、第２上流側貫通孔と第２下流側貫通孔とが第１所定距離Ａだけ離れるように形成されており、第２下流側貫通孔と第３上流側貫通孔とが第２所定距離Ｂだけ離れるように形成されており、第３上流側貫通孔と第３下流側貫通孔とが第１所定距離Ａだけ離れるように形成されていてもよい。
【００５８】
また、第２フィン６１の直状部６１ｂにおいて、上流側貫通孔６４同士は、図３に示すように、第１所定距離Ａだけ離れるように形成されている。さらに、第２フィン６１の直状部６１ｂにおいて、下流側貫通孔６５同士は、第１所定距離Ａだけ離れるように形成されている。また、第２フィン６１の直状部６１ｂにおいて、上流側貫通孔６４と下流側貫通孔６５とは、第２所定距離Ｂだけ離れるように千鳥状に形成されている。
【００５９】
なお、ここでいう、隣接する貫通孔同士の距離とは、具体的には、隣接する貫通孔の中心同士を結んだ距離のことである。このため、例えば、「第１フィン５１において、上流側貫通孔５４同士が、第１所定距離Ａだけ離れるように形成されている」とは、具体的には、隣接する上流側貫通孔５４の中心同士を結んだ距離が第１所定距離Ａだけ離れていることを意味している。
【００６０】
伝熱管７０は、直状の配管であって、伝熱管７０は、フィン５１，６１を貫通して空気流Ｆと交差する方向に延びている。具体的には、伝熱管７０は、各熱交換部５０，６０の長手方向（板厚方向Ｌ１）に対して平行になるように、複数のフィン５１，６１のそれぞれの貫通孔５４，５５，６４，６５を挿通している（図５参照）。このため、複数の伝熱管７０は、隣接する伝熱管７０の配管中心同士を結んだ距離が第１所定距離または第２所定距離のいずれか一方の距離だけ離れるように配置される。また、複数のフィン５１，６１において上流側貫通孔５４，６４と下流側貫通孔５５，６５とが千鳥状に形成されているため、上流側貫通孔５４，６４を挿通する伝熱管（上流側伝熱管に相当）７０と下流側貫通孔５５，６５を挿通する伝熱管（下流側伝熱管に相当）７０とは、千鳥状に配置される。さらに、第１上流側貫通孔６４ａを挿通する伝熱管７０（以下、第１上流側伝熱管７０ａという）と第１下流側貫通孔６５ａを挿通する伝熱管７０（以下、第１下流側伝熱管７０ｄという）とは、第２所定距離だけ離れて配置される。第１下流側伝熱管７０ｄと第２上流側貫通孔６４ｂを挿通する伝熱管７０（以下、第２上流側伝熱管７０ｂという）とは、第１所定距離Ａだけ離れて配置される。第２上流側伝熱管７０ｂと第２下流側貫通孔６５ｂを挿通する伝熱管７０（以下、第２下流側伝熱管７０ｅという）とは、第２所定距離Ｂだけ離れて配置される。第２下流側伝熱管７０ｅと第３上流側貫通孔６４ｃを挿通する伝熱管７０（以下、第３上流側伝熱管７０ｃという）とは、第１所定距離Ａだけ離れて配置される。第３上流側伝熱管７０ｃと第３下流側貫通孔６５ｃを挿通する伝熱管７０（以下、第３下流側伝熱管７０ｆという）とは、第２所定距離Ｂだけ離れて配置される。また、第１上流側伝熱管７０ａと第２上流側伝熱管７０ｂとは、第１所定距離Ａだけ離れるように配置される。第２上流側伝熱管７０ｂと第３上流側伝熱管７０ｃとは、第１所定距離Ａだけ離れて配置される。また、第１下流側伝熱管７０ｄと第２下流側伝熱管７０ｅとは、第２所定距離Ｂだけ離れて配置される。第２下流側伝熱管７０ｅと第３下流側伝熱管７０ｆとは、第２所定距離Ｂだけ離れて配置される。
【００６１】
また、複数の伝熱管７０は、その両端が管板によって固定されている。例えば、第１熱交換部５０では、複数の伝熱管７０は、図４および図５に示すように、その両端が、管板５９によって固定されている。このため、各熱交換部５０，６０では、管板が複数のフィン５１，６１を挟むように配置されている。
【００６２】
Ｕベンド管７１，７２は、略Ｕ字状の配管部品であって、管板５９から突出する伝熱管７０の端部において、隣接する伝熱管７０の端部同士を連結する。また、Ｕベンド管７１，７２は、隣接する伝熱管７０の端部に嵌め込まれて連結固定される。このため、複数の伝熱管７０と複数のＵベンド管７１，７２とが組み合わされることによって、１つの冷媒流路が構成される。
【００６３】
また、Ｕベンド管７１，７２は、第１所定距離Ａだけ離れて配置される伝熱管７０の端部同士を連結する第１Ｕベンド管７１と、第２所定距離Ｂだけ離れて配置される伝熱管７０の端部同士を連結する第２Ｕベンド管７２とを有する。
【００６４】
また、図５に示すように、第１熱交換部５０において、第１Ｕベンド管７１は、第１熱交換部５０の一端側から突出するように配置される。さらに、図５に示すように、第１熱交換部５０において、第２Ｕベンド管７２は、第１熱交換部５０の他端側から突出するように配置される。
【００６５】
また、第２熱交換部６０において、第１Ｕベンド管７１は、第２熱交換部６０の一端側から突出するように配置される。さらに、第２熱交換部６０において、第２Ｕベンド管７２は、第２熱交換部６０の他端側から突出するように配置される。具体的には、第２熱交換部６０において、第１Ｕベンド管７１は、図７に示すように、第１所定距離Ａだけ離れて配置されている伝熱管７０同士を連結している。また、第２熱交換部６０において、第２Ｕベンド管７２は、図８に示すように、第２所定距離Ｂだけ離れて配置されている伝熱管７０同士を連結している。
【００６６】
このような構成によって、この室内熱交換器１２では、Ｕベンド管７１，７２によって連結される伝熱管７０同士が、第１所定距離Ａまたは第２所定距離Ｂのいずれか一方の距離だけ離れるように配置されている。このため、この室内熱交換器１２では、２種類のＵベンド管７１，７２によって、室内熱交換器１２を構成する伝熱管７０同士を連結することができる。
【００６７】
なお、本実施形態では、Ｕベンド管７１，７２によって連結される伝熱管７０同士が、第１所定距離Ａまたは第２所定距離Ｂのいずれか一方の距離だけ離れるように配置されているが、これに限定されず、少なくとも湾曲部において、Ｕベンド管によって連結される伝熱管同士が第１所定距離または第２所定距離のいずれか一方の距離だけ離れるように配置されていればよい。
【００６８】
＜特徴＞
（１）
従来より、フィンを湾曲した形状に成形した場合、フィンを貫通する伝熱管の配置の自由度が増すために、伝熱管同士の距離の種類が多くなることがある。例えば、熱交換器において、複数の直状の伝熱管と複数のＵベンド管とを組み合わせることによって１つの冷媒流路が構成される場合、Ｕベンド管は、隣接する伝熱管同士を連結するため少なくとも伝熱管同士の距離の種類だけ必要となる。このため、伝熱管同士を連結するＵベンド管等の配管部品の種類が増えるために、コストが増加するという問題がある。
【００６９】
そこで、上記実施形態では、第２フィン６１の湾曲部６１ａにおいて、Ｕベンド管７１，７２によって連結される伝熱管７０同士が、第１所定距離Ａまたは第２所定距離Ｂのいずれか一方の距離だけ離れるように配置されている。このため、この室内熱交換器１２では、２種類のＵベンド管７１，７２によって、伝熱管７０同士を連結することができる。したがって、例えば、少なくとも３種類のＵベンド管が必要となるような場合、すなわち、Ｕベンド管によって連結される伝熱管同士の距離が３種類ある場合と比較して、Ｕベンド管の種類を減らすことができる。
【００７０】
これによって、低コストを実現することができている。
【００７１】
（２）
上記実施形態では、上流側貫通孔５４，６４を挿通する伝熱管７０と下流側貫通孔５５，６５を挿通する伝熱管７０とが、千鳥状に配置されている。このため、熱交換を行う空気を、各伝熱管７０に効率よく接触させることができる。
【００７２】
これによって、熱交換効率を向上させることができる。
【００７３】
（３）
上記実施形態では、第１下流側貫通孔６５ａは、第２下流側貫通孔６５ｂに隣接している。また、第２上流側貫通孔６４ｂは、第１下流側貫通孔６５ａおよび第２下流側貫通孔６５ｂに隣接している。さらに、第１下流側貫通孔６５ａと第２上流側貫通孔６４ｂとは、第１所定距離Ａだけ離れるように形成されている。また、第２上流側貫通孔６４ｂと第２下流側貫通孔６５ｂとは、第２所定距離Ｂだけ離れるように形成されている。このため、第１下流側貫通孔６５ａを挿通する伝熱管である第１下流側伝熱管７０ｄと第２上流側貫通孔６４ｂを挿通する伝熱管である第２上流側伝熱管７０ｂとは、第１所定距離Ａだけ離れるように配置されている。また、第２下流側貫通孔６５ｂを挿通する伝熱管である第２下流側伝熱管７０ｅと第２上流側貫通孔６４ｂを挿通する伝熱管である第２上流側伝熱管７０ｂとは、第２所定距離Ｂだけ離れるように配置されている。このため、第２フィン６１の湾曲部６１ａにおいて、上流側貫通孔６４を挿通する伝熱管７０と下流側貫通孔６５を挿通する伝熱管７０とを、第１所定距離Ａまたは第２所定距離Ｂだけ離れて配置することができる。
【００７４】
（４）
上記実施形態では、第１上流側貫通孔６４ａ、第２上流側貫通孔６４ｂおよび第３上流側貫通孔６４ｃは、第１方向Ｙに沿って、第１上流側貫通孔６４ａ、第２上流側貫通孔６４ｂ、第３上流側貫通孔６４ｃの順に配置されている。また、第１下流側貫通孔６５ａ、第２下流側貫通孔６５ｂおよび第３下流側貫通孔６５ｃは、第１方向Ｙに沿って、第１下流側貫通孔６５ａ、第２下流側貫通孔６５ｂ、第３下流側貫通孔６５ｃの順に配置されている。さらに、第１上流側貫通孔６４ａと第１下流側貫通孔６５ａとは、第２所定距離Ｂだけ離れるように形成されている。第１下流側貫通孔６５ａと第２上流側貫通孔６４ｂとは、第１所定距離Ａだけ離れるように形成されている。第２上流側貫通孔６４ｂと第２下流側貫通孔６５ｂとは、第２所定距離Ｂだけ離れるように形成されている。第２下流側貫通孔６５ｂと第３上流側貫通孔６４ｃとは、第１所定距離Ａだけ離れるように形成されている。第３上流側貫通孔６４ｃと第３下流側貫通孔６５ｃとは、第２所定距離Ｂだけ離れるように形成されている。このため、第１上流側貫通孔６４ａを挿通する伝熱管である第１上流側伝熱管７０ａと第１下流側貫通孔６５ａを挿通する伝熱管である第１下流側伝熱管７０ｄとは、第２所定距離だけ離れて配置される。第１下流側貫通孔６５ａを挿通する伝熱管である第１下流側伝熱管７０ｄと第２上流側貫通孔６４ｂを挿通する伝熱管である第２上流側伝熱管７０ｂとは、第１所定距離Ａだけ離れて配置される。第２上流側貫通孔６４ｂを挿通する伝熱管である第２上流側伝熱管７０ｂと第２下流側貫通孔６５ｂを挿通する伝熱管である第２下流側伝熱管７０ｅとは、第２所定距離Ｂだけ離れて配置される。第２下流側貫通孔６５ｂを挿通する伝熱管である第２下流側伝熱管７０ｅと第３上流側貫通孔６４ｃを挿通する伝熱管である第３上流側伝熱管７０ｃとは、第１所定距離Ａだけ離れて配置される。第３上流側貫通孔６４ｃを挿通する伝熱管である第３上流側伝熱管７０ｃと第３下流側貫通孔６５ｃを挿通する伝熱管である第３下流側伝熱管７０ｆとは、第２所定距離Ｂだけ離れて配置される。このため、第２フィン６１の湾曲部６１ａにおいて、上流側貫通孔６４を挿通する伝熱管７０と下流側貫通孔６５を挿通する伝熱管７０とを、第１所定距離Ａまたは第２所定距離Ｂだけ離れて配置することができる。
【００７５】
（５）
上記実施形態では、第１所定距離Ａが第２所定距離Ｂよりも大きい。また、第１上流側貫通孔６４ａと第２上流側貫通孔６４ｂとは、第１所定距離Ａだけ離れるように形成されている。第２上流側貫通孔６４ｂと第３上流側貫通孔６４ｃとは、第１所定距離Ａだけ離れるように形成されている。このように、第２フィン６１の湾曲部６１ａにおいて、上流側貫通孔６４同士は、第１所定距離Ａだけ離れるように形成されている。また、第１下流側貫通孔６５ａと第２下流側貫通孔６５ｂとは、第２所定距離Ｂだけ離れるように形成されている。また、第２下流側貫通孔６５ｂと第３下流側貫通孔６５ｃとは、第２所定距離Ｂだけ離れるように形成されている。このように、第２フィン６１の湾曲部６１ａにおいて、下流側貫通孔６５同士は、第２所定距離Ｂだけ離れるように形成されている。このため、第１上流側貫通孔６４ａを挿通する伝熱管である第１上流側伝熱管７０ａと第２上流側貫通孔６４ｂを挿通する伝熱管である第２上流側伝熱管７０ｂとは、第１所定距離Ａだけ離れるように配置される。第２上流側貫通孔６４ｂを挿通する伝熱管である第２上流側伝熱管７０ｂと第３上流側貫通孔６４ｃを挿通する伝熱管である第３上流側伝熱管７０ｃとは、第１所定距離Ａだけ離れて配置される。また、第１下流側貫通孔６５ａを挿通する伝熱管である第１下流側伝熱管７０ｄと第２下流側貫通孔６５ｂを挿通する伝熱管である第２下流側伝熱管７０ｅとは、第２所定距離Ｂだけ離れて配置される。第２下流側貫通孔６５ｂを挿通する伝熱管である第２下流側伝熱管７０ｅと第３下流側貫通孔６５ｃを挿通する伝熱管である第３下流側伝熱管７０ｆとは、第２所定距離Ｂだけ離れて配置される。したがって、第２フィン６１の湾曲部６１ａにおいて、上流側貫通孔６４を挿通する伝熱管７０と下流側貫通孔６５を挿通する伝熱管７０とを第１方向Ｙに沿った方向に配置することができる。
【００７６】
これによって、第２フィン６１の湾曲部６１ａにおいて、各伝熱管７０を、湾曲部６１ａに沿った湾曲した配置にすることができる。
【００７７】
＜変形例＞
（Ａ）
上記実施形態では、伝熱管７０が、直状の配管である。
【００７８】
これに代えて、伝熱管が、ヘアピン状に曲げ加工された配管（以下、ヘアピン形状の伝熱管という）が用いられてもよい。
【００７９】
例えば、互いに平行に配置される２本の直状部２７０ａと直状部２７０ａの端部間を連結するヘアピン部２７０ｂとを有するヘアピン形状の伝熱管２７０であって、図９に示すように、各直状部２７０ａの配管径の中心を結んだ距離が第１所定距離Ａであるヘアピン形状の伝熱管２７０が採用された場合について説明する。
【００８０】
ヘアピン形状の伝熱管２７０が、上記実施形態と同様の構成の第１フィン５１および第２フィン６１に挿通されて室内熱交換器が構成される場合には、第２所定距離Ｂだけ離れた直状部２７０ａの端部同士を連結するＵベンド管、すなわち、上記実施形態の第２Ｕベンド管７２と同様の構成のＵベンド管を用いることで、１つの冷媒流路を構成することができる。具体的には、上記実施形態において第１Ｕベンド管７１が配置される部分にヘアピン部２７０ｂが位置するようにヘアピン形状の伝熱管２７０を配置する。そして、第２所定距離Ｂだけ離れた直状部２７０ａの端部同士を、上記実施形態の第２Ｕベンド管７２と同様の構成のＵベンド管によって連結すればよい。
【００８１】
このように、ヘアピン形状の伝熱管２７０が用いられることで、伝熱管の端部同士を連結するためのＵベンド管の種類を更に減らすことができる。
【００８２】
また、上記実施形態では、第２熱交換部６０において、第１Ｕベンド管７１は、第２熱交換部６０の一端側から突出するように配置されている。また、第２熱交換部６０において、第２Ｕベンド管７２は、第２熱交換部６０の他端側から突出するように配置されている。すなわち、第１Ｕベンド管７１が配置されている第２熱交換部６０の端部には、第２Ｕベンド管７２は配置されていない。
【００８３】
これに代えて、図１０Ａおよび図１０Ｂに示すように、第２熱交換部３６０の両端側から第１Ｕベンド管７１および第２Ｕベンド管７２が突出するように配置されてもよい。
【００８４】
なお、図１０Ａおよび図１０Ｂに示す第２熱交換部３６０において、Ｕベンド管７１、７２の配置以外は、上記実施形態の第２熱交換部６０と同様の構成であるため、各構成部材に対して同一の符号を付している。
【００８５】
また、これに代えて、２種類のヘアピン形状の伝熱管と、２種類のＵベンド管とが用いられることで、１つの冷媒流路が構成されていてもよい。
【００８６】
具体的には、各直状部の配管径の中心を結んだ距離が第１所定距離Ａであるヘアピン形状の伝熱管と、各直状部の配管径の中心を結んだ距離が第２所定距離Ｂであるヘアピン形状の伝熱管と、第１所定距離Ａだけ離れた直状部の端部同士を連結するＵベンド管、すなわち、上記実施形態の第１Ｕベンド管７１と同様の構成のＵベンド管と、第２所定距離Ｂだけ離れた直状部の端部同士を連結するＵベンド管、すなわち、上記実施形態の第２Ｕベンド管７２と同様の構成のＵベンド管とを用いることで、１つの冷媒回路を構成することができる。
【００８７】
このように、湾曲した形状を呈する第２熱交換部において、隣接する直状の伝熱管同士または隣接するヘアピン形状の伝熱管の直状部同士が、第１所定距離または第２所定距離のいずれか一方の距離だけ離れるように配置されている場合には、例えば、隣接する伝熱管同士の距離が３種類以上存在する場合と比較して、隣接する伝熱管の端部同士を連結するＵベンド管の種類を減らすことができる。また、ヘアピン部によって接続される直状部の距離が３種類以上存在する熱交換器と比較して、アピン形状の伝熱管の種類を減らすことができる。
【００８８】
これによって、低コストを実現することができる。
【００８９】
（Ｂ）
上記実施形態では、第１熱交換部５０は、板厚方向Ｌ１に長い直状を呈しており、第２熱交換部６０は、板厚方向Ｌ１に長く、かつ、室内熱交換器１２の側面視において、上部が湾曲した形状を呈している。
【００９０】
これに代えて、第１熱交換部および第２熱交換部のそれぞれが、室内熱交換器の側面視において、湾曲した形状を呈していてもよい。このように、第２熱交換部だけでなく第１熱交換部も湾曲した形状とすることで、第１熱交換部が直状の室内熱交換器と比較して、室内熱交換器を室内ファンの周面に沿った形状にすることができる。
【００９１】
（Ｃ）
上記実施形態では、配管部品として、略Ｕ字状の配管部品であるＵベンド管７１，７２が採用されている。
【００９２】
これに代えて、直状の伝熱管４７０、あるいは、ヘアピン状の伝熱管が、図１１に示すような、配管部品４７１によって接続されていてもよい。なお、配管部品４７１は、冷媒の上流側または下流側において、ヘッダーや出入口管に接続されている。
【００９３】
このような構成によって、配管部品４７１によって接続される直状の伝熱管４７０の端部同士の距離、あるいは、ヘアピン状の伝熱管の直状部同士の距離が、第１所定距離Ａまたは第２所定距離Ｂのいずれか一方の距離だけ離れて配置されている場合には、例えば、隣接する伝熱管同士の距離が３種類以上存在する場合と比較して、隣接する伝熱管の端部同士を連結する配管部品の種類を減らすことができる。
【００９４】
これによって、低コストを実現することができる。
【００９５】
なお、図１１において、符号４６０は第２熱交換部を示しており、符号４６１は第２フィンを示しており、符号４６１ａは湾曲部を示しており、符号４６４は上流側貫通孔を示しており、符号４６５は下流側貫通孔を示している。
【００９６】
−第２実施形態−
本発明の第２実施形態に係る室内熱交換器について説明する。なお、本発明の第２実施形態に係る室内熱交換器の備える第２熱交換部１６０以外の構成は、第１実施形態の室内熱交換器１２と同様の構成であるため、第２熱交換部１６０以外の構成については説明を省略する。
【００９７】
＜第２熱交換部の構成＞
図１２は、第２熱交換部１６０の縦断面図である。図１３は、第２熱交換部１６０の縦断面図であって、第２フィン１６１の湾曲部１６１ａにおける部分拡大図である。図１４は、第２熱交換部１６０を一端側から視た側面図である。図１５は、第２熱交換部１６０を他端側から視た側面図である。
【００９８】
第２熱交換部１６０は、水平方向（板厚方向Ｌ１）に長い形状を有しており、室内熱交換器の側面視において、上部が湾曲した形状を呈している。また、第２熱交換部１６０は、第１熱交換部の前方に配置されている。さらに、第２熱交換部１６０の上端、すなわち、湾曲している側の端部は、第１熱交換部の上端に近接している。さらに、第２熱交換部１６０は、室内ファンの上方から前部を覆うように配置されている。
【００９９】
また、第２熱交換部１６０は、短冊状の複数の第２フィン１６１と、第２フィン１６１を貫通し直線状に延びる複数の伝熱管１７０と、２種類のＵベンド管１７１，１７２とを有している。
【０１００】
第２フィン１６１は、第２フィン１６１の板厚方向視において、室内ファンの周面の一部を取り囲むように湾曲した形状を呈する湾曲部１６１ａと、湾曲部１６１ａから連続して形成されている直状部１６１ｂとを有している（図１２参照）。湾曲部１６１ａは第２フィン１６１の上部を構成しており、直状部１６１ｂは第２フィン１６１の湾曲部１６１ａ以外の部分、すなわち、第２フィン１６１の下部を構成している。
【０１０１】
また、第２フィン１６１には、板厚方向に貫通する複数の貫通孔１６４，１６５が所定の間隔をあけて形成されている。また、複数の貫通孔１６４，１６５には、上流側貫通孔１６４と下流側貫通孔１６５とが含まれる。上流側貫通孔１６４は、図１２に示すように、下流側貫通孔１６５よりも空気流Ｆ上流側に配置されている。なお、図１３に示すように、説明の便宜上、第２フィン１６１の湾曲部１６１ａにおいて、上流側貫通孔１６４のうち最も第２フィン１６１の一方の端部１６１ｃ近傍に位置する上流側貫通孔を上流側貫通孔１６４または第１上流側貫通孔１６４ａといい、上流側貫通孔１６４のうち第１上流側貫通孔１６４ａに隣接して形成されている上流側貫通孔を上流側貫通孔１６４または第２上流側貫通孔１６４ｂといい、上流側貫通孔１６４のうち第２上流側貫通孔１６４ｂに隣接して形成されている上流側貫通孔を上流側貫通孔１６４または第３上流側貫通孔１６４ｃという。また、第２フィン１６１の湾曲部１６１ａにおいて、下流側貫通孔１６５のうち最も第２フィン１６１の一方の端部１６１ｃに位置する下流側貫通孔を下流側貫通孔１６５または第１下流側貫通孔１６５ａといい、下流側貫通孔１６５のうち第１下流側貫通孔１６５ａに隣接して形成されている下流側貫通孔を下流側貫通孔１６５または第２下流側貫通孔１６５ｂといい、下流側貫通孔１６５のうち第２下流側貫通孔１６５ｂに隣接して形成されている下流側貫通孔を下流側貫通孔１６５または第３下流側貫通孔１６５ｃという。言い換えると、第２フィン１６１の一方の端部１６１ｃ側から他方の端部１６１ｄ側に向かう方向を第１方向Ｙとすると、第１上流側貫通孔１６４ａ、第２上流側貫通孔１６４ｂおよび第３上流側貫通孔１６４ｃは、第１方向Ｙに沿って、第１上流側貫通孔１６４ａ、第２上流側貫通孔１６４ｂ、第３上流側貫通孔１６４ｃの順に配置されている。また、第１下流側貫通孔１６５ａ、第２下流側貫通孔１６５ｂおよび第３下流側貫通孔１６５ｃは、第１方向Ｙに沿って、第１下流側貫通孔１６５ａ、第２下流側貫通孔１６５ｂ、第３下流側貫通孔１６５ｃの順に配置されている。
【０１０２】
第１上流側貫通孔１６４ａと第２上流側貫通孔１６４ｂとは、図１３に示すように、第１所定距離Ａだけ離れるように形成されている。また、第２上流側貫通孔１６４ｂと第３上流側貫通孔１６４ｃとは、第１所定距離Ａだけ離れるように形成されている。このように、第２フィン１６１の湾曲部１６１ａにおいて、上流側貫通孔１６４同士は、図１２に示すように、第１所定距離Ａだけ離れるように形成されている。
【０１０３】
また、第１下流側貫通孔１６５ａと第２下流側貫通孔１６５ｂとは、図１３に示すように、第１所定距離Ａだけ離れるように形成されている。また、第２下流側貫通孔１６５ｂと第３下流側貫通孔１６５ｃとは、図１３に示すように、第２所定距離Ｂだけ離れるように形成されている。なお、第２所定距離Ｂは、第１所定距離Ａよりも小さい。言い換えると、第１所定距離Ａは、第２所定距離Ｂよりも大きい。このように、第２フィン１６１の湾曲部１６１ａにおいて、下流側貫通孔１６５同士は、図１２に示すように、第１所定距離Ａまたは第２所定距離Ｂだけ離れるように形成されている。すなわち、第２フィン１６１の湾曲部１６１ａにおいて、第１下流側貫通孔１６５ａから第１所定距離Ａだけ離れた位置に第２下流側貫通孔１６５ｂが形成され、第２下流貫通孔１６５ｂから第２所定距離Ｂだけ離れた位置に第３下流側貫通孔１６５ｃが形成され、第３下流側貫通孔１６５ｃから第１方向Ｙに沿って第１所定距離だけ離れた位置に下流側貫通孔１６５が形成されている。このように、下流側貫通孔１６５は、第１方向Ｙに沿って、第１所定距離または第２所定距離が交互になるように離れて配置されている。
【０１０４】
さらに、第１上流側貫通孔１６４ａと第１下流側貫通孔１６５ａとは、図１３に示すように、第２所定距離Ｂだけ離れるように形成されている。第１下流側貫通孔１６５ａと第２上流側貫通孔１６４ｂとは、図１３に示すように、第１所定距離Ａだけ離れるように形成されている。第２上流側貫通孔１６４ｂと第２下流側貫通孔１６５ｂとは、図１３に示すように、第２所定距離Ｂだけ離れるように形成されている。第２下流側貫通孔１６５ｂと第３上流側貫通孔１６４ｃとは、図１３に示すように、第１所定距離Ａだけ離れるように形成されている。第３上流側貫通孔１６４ｃと第３下流側貫通孔１６５ｃとは、図１３に示すように、第２所定距離Ｂだけ離れるように形成されている。このように、第２フィン１６１の湾曲部１６１ａにおいて、上流側貫通孔１６４と下流側貫通孔１６５とは、図１２に示すように、第１所定距離Ａまたは第２所定距離Ｂだけ離れるように千鳥状に形成されている。
【０１０５】
また、第２フィン１６１の直状部１６１ｂにおいて、上流側貫通孔１６４同士は、図１２に示すように、第１所定距離Ａだけ離れるように形成されている。さらに、第２フィン１６１の直状部１６１ｂにおいて、下流側貫通孔１６５同士は、第１所定距離Ａだけ離れるように形成されている。また、第２フィン１６１の直状部１６１ｂにおいて、上流側貫通孔１６４と下流側貫通孔１６５とは、第２所定距離Ｂだけ離れるように千鳥状に形成されている。
【０１０６】
なお、ここでいう、隣接する貫通孔１６４，１６５同士の距離とは、具体的には、隣接する貫通孔１６４，１６５の中心同士を結んだ距離のことである。このため、例えば、「第１上流側貫通孔１６４ａと第２上流側貫通孔１６４ｂとが、第１所定距離Ａだけ離れるように形成されている。」とは、具体的には、第１上流側貫通孔１６４ａと第２上流側貫通孔１６４ｂとの中心同士を結んだ距離が第１所定距離Ａだけ離れていることを意味している。
【０１０７】
伝熱管１７０は、直状の配管であって、第１熱交換部および第２熱交換部１６０の長手方向に対して平行になるように、複数のフィン１６１のそれぞれの貫通孔１６４，１６５を挿通している。このため、複数の伝熱管１７０は、隣接する伝熱管１７０の配管中心同士を結んだ距離が第１所定距離または第２所定距離のいずれか一方の距離だけ離れるように配置される。また、複数のフィン１６１において上流側貫通孔１６４と下流側貫通孔１６５とが千鳥状に形成されているため、上流側貫通孔１６４を挿通する伝熱管（上流側伝熱管に相当）１７０と下流側貫通孔１６５を挿通する伝熱管（下流側伝熱管に相当）１７０とは、千鳥状に配置される。さらに、第１上流側貫通孔１６４ａを挿通する伝熱管１７０（以下、第１上流側伝熱管１７０ａという）と第１下流側貫通孔１６５ａを挿通する伝熱管１７０（以下、第１下流側伝熱管１７０ｄという）とは、第２所定距離だけ離れて配置される。第１下流側伝熱管１７０ｄと第２上流側貫通孔１６４ｂを挿通する伝熱管１７０（以下、第２上流側伝熱管１７０ｂという）とは、第１所定距離Ａだけ離れて配置される。第２上流側伝熱管１７０ｂと第２下流側貫通孔１６５ｂを挿通する伝熱管１７０（以下、第２下流側伝熱管１７０ｅという）とは、第２所定距離Ｂだけ離れて配置される。第２下流側伝熱管１７０ｅと第３上流側貫通孔１６４ｃを挿通する伝熱管１７０（以下、第３上流側伝熱管１７０ｃという）とは、第１所定距離Ａだけ離れて配置される。第３上流側伝熱管１７０ｃと第３下流側貫通孔１６５ｃを挿通する伝熱管１７０（以下、第３下流側伝熱管１７０ｆという）とは、第２所定距離Ｂだけ離れて配置される。また、第１上流側伝熱管１７０ａと第２上流側伝熱管１７０ｂとは、第１所定距離Ａだけ離れるように配置される。第２上流側伝熱管１７０ｂと第３上流側伝熱管１７０ｃとは、第１所定距離Ａだけ離れて配置される。また、第１下流側伝熱管１７０ｄと第２下流側伝熱管１７０ｅとは、第１所定距離Ａだけ離れて配置される。第２下流側伝熱管１７０ｅと第３下流側伝熱管１７０ｆとは、第２所定距離Ｂだけ離れて配置される。
【０１０８】
また、複数の伝熱管１７０は、その両端が管板によって固定されている。このため、第１熱交換部および第２熱交換部１６０では、管板が複数のフィン１６１を挟むように配置されている。
【０１０９】
Ｕベンド管１７１，１７２は、略Ｕ字状の配管部品であって、管板から突出する伝熱管１７０の端部において、隣接する伝熱管１７０の端部同士を連結する。また、Ｕベンド管１７１，１７２は、隣接する伝熱管１７０の端部に嵌め込まれて連結固定される。このため、複数の伝熱管１７０と複数のＵベンド管１７１，１７２とが組み合わされることによって、１つの冷媒流路が構成される。
【０１１０】
また、Ｕベンド管１７１，１７２は、第１所定距離Ａだけ離れて配置される伝熱管１７０の端部同士を連結する第１Ｕベンド管１７１と、第２所定距離Ｂだけ離れて配置される伝熱管１７０の端部同士を連結する第２Ｕベンド管１７２とを有する。
【０１１１】
また、第２熱交換部１６０において、第１Ｕベンド管１７１は、第２熱交換部１６０の一端側から突出するように配置される。さらに、第２熱交換部１６０において、第２Ｕベンド管１７２は、第２熱交換部１６０の他端側から突出するように配置される。具体的には、第２熱交換部１６０において、第１Ｕベンド管１７１は、図１４に示すように、第１所定距離Ａだけ離れて配置される伝熱管１７０の端部同士を連結している。また、第２熱交換部１６０において、第２Ｕベンド管１７２は、図１５に示すように、第２所定距離Ｂだけ離れて配置される伝熱管１７０の端部同士を連結している。
【０１１２】
このような構成によって、この室内熱交換器では、Ｕベンド管１７１，１７２によって連結される伝熱管１７０同士は、第１所定距離Ａまたは第２所定距離Ｂのいずれか一方の距離だけ離れるように配置されていることになる。このため、この室内熱交換器では、２種類のＵベンド管１７１，１７２によって、伝熱管１７０同士を連結することができる。
【０１１３】
＜特徴＞
上記実施形態では、第２フィン１６１の湾曲部１６１ａにおいて、第１上流側貫通孔１６４ａと第２上流側貫通孔１６４ｂとが、第１所定距離Ａだけ離れるように形成されている。また、第２フィン１６１の湾曲部１６１ａにおいて、第２上流側貫通孔１６４ｂと第３上流側貫通孔１６４ｃとが、第１所定距離Ａだけ離れるように形成されている。このように、第２フィン１６１の湾曲部１６１ａにおいて、上流側貫通孔１６４同士は、第１所定距離Ａだけ離れるように形成されている。
【０１１４】
また、第２フィン１６１の湾曲部１６１ａにおいて、第１下流側貫通孔１６５ａと第２下流側貫通孔１６５ｂとが、第１所定距離Ａだけ離れるように形成されている。また、第２フィン１６１の湾曲部１６１ａにおいて、第２下流側貫通孔１６５ｂと第３下流側貫通孔１６５ｃとは、第２所定距離Ｂだけ離れるように形成されている。このように、第２フィン１６１の湾曲部１６１ａにおいて、下流側貫通孔１６５同士は、第１所定距離Ａまたは第２所定距離Ｂだけ離れるように形成されている。このため、第１上流側貫通孔１６４ａを挿通する伝熱管である第１上流側伝熱管１７０ａと第２上流側貫通孔１６４ｂを挿通する伝熱管である第２上流側伝熱管１７０ｂとは、第１所定距離Ａだけ離れるように配置される。第２上流側貫通孔１６４ｂを挿通する伝熱管である第２上流側伝熱管１７０ｂと第３上流側貫通孔１６４ｃを挿通する伝熱管である第３上流側伝熱管１７０ｃとは、第１所定距離Ａだけ離れて配置される。また、第１下流側貫通孔１６５ａを挿通する伝熱管である第１下流側伝熱管１７０ｄと第２下流側貫通孔１６５ｂを挿通する伝熱管である第２下流側伝熱管１７０ｅとは、第１所定距離Ａだけ離れて配置される。第２下流側貫通孔１６５ｂを挿通する伝熱管である第２下流側伝熱管１７０ｅと第３下流側貫通孔１６５ｃを挿通する伝熱管である第３下流側伝熱管１７０ｆとは、第２所定距離Ｂだけ離れて配置される。したがって、第２フィン１６１の湾曲部１６１ａにおいて、上流側貫通孔１６４を挿通する伝熱管１７０と下流側貫通孔１６５を挿通する伝熱管１７０とを第１方向Ｙに沿った方向に配置することができる。
【０１１５】
これによって、第２フィン１６１の湾曲部１６１ａにおいて、各伝熱管１７０を、湾曲部１６１ａに沿った湾曲した配置にすることができる。
【産業上の利用可能性】
【０１１６】
本発明は、端部連結管によって接続される伝熱管の端部同士の距離の種類を２種類にすることで低コストを実現することができるため、湾曲した形状を呈する熱交換器への適用が有効である。
【符号の説明】
【０１１７】
２７０ａ    直状部（主伝熱部）
２７０ｂ    ヘアピン部
４７０      配管部品（端部連結管）
６０，１６０，４６０  第２熱交換部（熱交換器）
６１，１６１，４６１  第２フィン（フィン）
６１ａ，１６１ａ  湾曲部
６１ｃ，１６１ｃ  端部（一端）
６１ｄ，１６１ｄ  端部（他端）
７０，１７０，４７０  伝熱管（主伝熱部）
７０ａ，１７０ａ  第１上流側伝熱管（上流側主伝熱部）
７０ｂ，１７０ｂ  第２上流側伝熱管（上流側主伝熱部）
７０ｃ，１７０ｃ  第３上流側伝熱管（上流側主伝熱部）
７０ｄ，１７０ｄ  第１下流側伝熱管（下流側主伝熱部）
７０ｅ，１７０ｅ  第２下流側伝熱管（下流側主伝熱部）
７０ｆ，１７０ｆ  第３下流側伝熱管（下流側主伝熱部）
７１，１７１  Ｕベンド管／第１Ｕベンド管（端部連結管）
７２，１７２  Ｕベンド管／第２Ｕベンド管（端部連結管）
【先行技術文献】
【特許文献】
【０１１８】
【特許文献１】特開平９−４２６９９号公報
【図１】
2010266099.tif 000003
【図２】
2010266099.tif 000004
【図３】
2010266099.tif 000005
【図４】
2010266099.tif 000006
【図５】
2010266099.tif 000007
【図６】
2010266099.tif 000008
【図７】
2010266099.tif 000009
【図８】
2010266099.tif 000010
【図９】
2010266099.tif 000011
【図１０Ａ】
2010266099.tif 000012
【図１０Ｂ】
2010266099.tif 000013
【図１１】
2010266099.tif 000014
【図１２】
2010266099.tif 000015
【図１３】
2010266099.tif 000016
【図１４】
2010266099.tif 000017
【図１５】
2010266099.tif 000018
【図１６】
2010266099.tif 000019